(57)【要約】【課題】埋設管にワイヤを挿入してこのワイヤを引張って埋設管を引抜く場合に、簡単な構造で容易にワイヤの引抜き動力を軽減し、ワイヤの破断を来たすことなくワイヤ径を細くすることを可能とし、地中埋設管周辺の土砂中に石や岩等が混じっていても確実に地中埋設管周辺土砂を排除することのできる地中埋設管除去装置を提供する。【解決手段】端部に掘削歯６を有し、埋設管の外周を掘削する円筒形状のホルソー２と、該ホルソー２に端部が固定され、埋設管の外周に沿って回転しながら進行する螺旋スプリング４と、該スプリング４の他方の端部に固定したホルソー回転駆動用のモータ３で地中埋設管除去装置を構成した。【選択図】        図１
2004340196.tif 000002
【特許請求の範囲】
【請求項１】
端部に掘削歯を有し、埋設管の外周を掘削する円筒形状のホルソーと、
該ホルソーに端部が固定され、埋設管の外周に沿って回転しながら進行する螺旋スプリングと、
該スプリングの他方の端部に固定したホルソー回転駆動用のモータとを有する地中埋設管除去装置。
【請求項２】
前記螺旋スプリングは矩形断面の線材からなることを特徴とする請求項１に記載の地中埋設管除去装置。
【発明の詳細な説明】
【０００１】
【発明の属する技術分野】
本発明はガス管や給水鉛管等の地中埋設管を除去する際に用いる地中埋設管除去装置に関するものである。
【０００２】
【従来の技術】
ガス管や給水鉛管等の地中埋設管の除去あるいは新管との交換の際に地面に穴を掘り、ここから既設管である地中埋設管を水平方向に引き抜く方法が用いられている。この引き抜き作業は例えば地中埋設管内にワイヤーを挿入し、これらを一体化させてワイヤーを引張ることにより行う。しかし、地中埋設管周囲には土砂が圧着しており、ワイヤーによる地中埋設管引き抜きの際に大きな摩擦力が働くため、大きな引張り力を持つワイヤー巻き取り装置が必要であった。この場合、その引張り力に耐えられずワイヤーが途中で破断されることもあった。
【０００３】
このような地中管の周辺土砂を排除して地中管の引抜き撤去を容易にする地中管の周面摩擦低減方法が提案されている（例えば特許文献１）。この方法は、ポンプからの加圧水により円筒状治具を用いて地中埋設管の周辺の土砂を拡掘し、地中管を引き抜きやすくするものである。しかし、特許文献１に記載の方法では、加圧水の噴射により土砂を排除するため、装置が大掛かりなものとなり、また大量の水を使用するため現場での作業性も悪くなる。
【０００４】
【特許文献１】
特開平９−４９５８６号公報
【０００５】
【発明が解決しようとする課題】
本発明は、上記従来技術を考慮したものであって、埋設管にワイヤを挿入してこのワイヤを引張って埋設管を引抜く場合に、簡単な構造で容易にワイヤの引抜き動力を軽減し、ワイヤの破断を来たすことなくワイヤ径を細くすることを可能とし、地中埋設管周辺の土砂中に石や岩等が混じっていても確実に地中埋設管周辺土砂を排除することのできる地中埋設管除去装置の提供を目的とする。
【０００６】
【課題を解決するための手段】
前記目的を達成するため、本発明では、端部に掘削歯を有し、埋設管の外周を掘削する円筒形状のホルソーと、該ホルソーに端部が固定され、埋設管の外周に沿って回転しながら進行する螺旋スプリングと、該スプリングの他方の端部に固定したホルソー回転駆動用のモータとを有する地中埋設管除去装置を提供する。
【０００７】
この構成によれば、例えば電動モータにより回転するホルソーの掘削歯により簡単な構造で容易に埋設管の外周の土砂が掘削され、掘削された土砂は螺旋スプリングにより後方に移送され排除されるので、埋設管周辺の土砂に石等が混じっていてもこれを除去しながら進行することができる。したがって、確実に地中埋設管周辺の土砂の排除を行うことができる。これにより、埋設管の引抜き動力が大幅に軽減する。
【０００８】
好ましい構成例においては、前記螺旋スプリングは矩形断面の線材からなることを特徴としている。
【０００９】
この構成によれば、ホルソーにより掘削した地中埋設管周辺土砂を回転するスプリングを伝って効率よく後方に移送して排出することができる。
【００１０】
【発明の実施の形態】
以下図面を参照して本発明の実施の形態について説明する。
図１は本発明に係る地中埋設管除去装置の概略図である。なお、図ではスプリングを簡略化して図示してある。
【００１１】
図示したように、本発明に係る地中埋設管除去装置１は、ホルソー２と電動モータ３を螺旋スプリング４を介して接続し、一体化したものである。スプリング４は電動モータ接続部材５を介して電動モータ３に接続される。ホルソー２は先端に掘削歯６を有し、電動モータ３を起動させることによりスプリング４とともに矢印Ｒ方向に回転する。この回転により、掘削歯６が埋設管（不図示）の外周の土砂を掘削しながらホルソー２が埋設管に沿って地中内を前進する。なお、電動モータ３を逆回転させることによりホルソー２を矢印Ｒと逆方向に回転させることもできる。
【００１２】
スプリング４は、丸棒又は角棒形状の鋼材を螺旋状に曲げて形成したスプリングである。角棒（断面が矩形）からなるスプリングを用いると、地中を掘削進行中に、掘削した土砂を螺旋コンベヤの作用で前進しながら自然に後方に移送して排出するため、埋設管外周の掘削作業がより円滑に行われる。
【００１３】
図２（Ａ）はホルソーの断面図であり、（Ｂ）は（Ａ）のＡ−Ａ視図である。図３は図２のホルソーにスプリングを取り付けたときの概略図である。
【００１４】
ホルソー２は鉄等の金属製の円筒部材を用いて形成される。ホルソー２の先端に掘削歯６が形成される。ホルソー２は、外筒７と内筒９とからなる二重管構造であり、先端部に掘削歯（鋸歯）６が形成される。掘削歯６は、掘削した土砂を円滑に逃して外側に排除するために４〜６枚が好ましい。外筒７と内筒９との間のスペースがスプリング差込部８である。
【００１５】
このスプリング差込部８にスプリング４を差込んで取り付ける。スプリング４を差込んだ後、スプリング差込部８に樹脂を充填してスプリング４を確実に固定する。この場合、ホルソー外筒７とホルソー内筒９を貫通するボルト１０を予め取り付けることにより、外筒７と内筒９を相互に固定するとともにスプリング４を確実にスプリング差込部８内に固定することができる。
【００１６】
図４（Ａ）は電動モータ接続部材の断面図であり、（Ｂ）は（Ａ）のＢ−Ｂ視図である。図５は図３の電動モータ接続部材にスプリングを取り付けたときの概略図である。
【００１７】
電動モータ接続部材５は後端が閉塞した二重管からなる円筒状であり、外筒１１と内筒１３との間のスペースにスプリング差込部１２を形成する。接続部材５の後端には突起１４が形成され、電動モータ側のジョイント１５と嵌合し、ボルト又はピン１６により固定される。この接続部材５は使用する電動モータ３の接続部に合わせて選択して用いる。スプリング差込部１２にスプリング４を差し込み、スプリング差込部１２に樹脂を充填してスプリング４を固定する。このとき、電動モータ接続部材５を貫通するボルト１７を用いてスプリング４を固定してもよい。なお、ボルト１７は上述したボルト１０（図３）と同様の形状であってもよい。
【００１８】
図６は本発明に係る地中埋設管除去装置を使用して地中埋設管を除去するときの概略図である。
【００１９】
地中埋設管１８を除去する際、まず地中にピット１９を形成する。ピット１９内に作業員が入り、電動モータ３を駆動させることにより、ホルソー２を回転し、地中埋設管１８の外周を掘削する。ホルソー２は地中埋設管１８の周囲の土砂を掘削しながら進行する。掘削された土砂は螺旋スプリング４の作用で小石や硬い土砂等であっても確実に後方に移送され、ピット１９内に排出される。
【００２０】
埋設管１８は例えば水道管であり、通常、道路側の水道本管と宅地側の家屋配管とを接続している。ピット１９は宅地側と道路側の両方に設けられる。両側のピット１９から埋設管１８の外周の土砂が掘削される。このとき、ホルソー２の回転方向を変えながら少しずつ進行させていくことが好ましい。掘削長さはスプリング４の長さによるが、埋設管１８の全長を掘削する必要はなく、両端のピット１９からある程度の長さを掘削すれば十分に引抜き力を低減できる。なお、スプリング４は順次継ぎ足し可能であり、これにより、所望の長さを掘削することができる。
【００２１】
ホルソー２により掘削された土砂は、前述のように、スプリング４の回転によりスプリング４に沿って順次排出される。このとき、矩形断面の線材を用いてスプリング４を形成することにより、土砂の排出をスムーズに行うことができる。
【００２２】
このようにして地中埋設管１８周囲を所定の長さまで掘削することにより、地中埋設管引き抜きの際の摩擦力が低減し、低動力のウインチあるいは手動のウインチを用いての引抜き作業が可能になる。また、ワイヤー等を用いて引き抜く際に小さな力で引き抜くことが可能であり、ワイヤーが切断されることがなくなる。ホルソー２を戻す場合は電動モータ３によりスプリング４を逆回転させることによりスムーズに回収することができる。
【００２３】
なお、地中埋設管１８が屈曲したり蛇行していたとしても、スプリング４がこれに追従するため、このような場合においても使用可能である。
【００２４】
【発明の効果】
以上説明したように、本発明では、例えば電動モータにより回転するホルソーの掘削歯により簡単な構造で容易に埋設管の外周の土砂が掘削され、掘削された土砂は螺旋スプリングにより後方に移送され排除されるので、埋設管周辺の土砂に石等が混じっていてもこれを除去しながら進行することができる。したがって、確実に地中埋設管周辺の土砂の排除を行うことができる。これにより、埋設管の引抜き動力が大幅に軽減する。
【００２５】
また、螺旋スプリングを矩形断面の線材で構成することにより、ホルソーにより掘削した地中埋設管周辺土砂を回転するスプリングを伝って効率よく後方に移送して排出することができる。
【図面の簡単な説明】
【図１】本発明に係る地中埋設管除去装置の概略図。
【図２】（Ａ）はホルソーの断面図であり、（Ｂ）は（Ａ）のＡ−Ａ視図。
【図３】図２のホルソーにスプリングを取り付けたときの概略図。
【図４】（Ａ）は電動モータ接続部材の断面図であり、（Ｂ）は（Ａ）のＢ−Ｂ視図。
【図５】図３の電動モータ接続部材にスプリングを取り付けたときの概略図。
【図６】本発明に係る地中埋設管除去装置を使用して地中埋設管を除去するときの概略図。
【符号の説明】
１：地中埋設管除去装置、２：ホルソー、３：電動モータ、４：スプリング、
５：電動モータ接続部材、６：掘削歯、７：外筒、８：スプリング差込部、
９：内筒、１０：ボルト、１１：外筒、１２：スプリング差込部、１３：内筒、
１４：突起、１５：ジョイント、１６：ボルト、１７：ボルト、
１８：地中埋設管、１９：ピット。
【図１】
2004340196.tif 000003
【図２】
2004340196.tif 000004
【図３】
2004340196.tif 000005
【図４】
2004340196.tif 000006
【図５】
2004340196.tif 000007
【図６】
2004340196.tif 000008